(57)【要約】【目的】  カメラに接続される装置からのアクセスレベルを容易に制御すること。【構成】  デジタルカメラ２００は、クレードル２２０を接続する外部ＩＦ制御部２０６と、外部ＩＦ制御部２０６を介してクレードル２２０から識別子を取得する取得部２１０と、取得部２１０で取得した識別子と設定値記憶部２０９等のメモリに記憶された識別子とを比較する比較部２１１と、比較部２１１の比較結果に基づいて外部ＩＦ制御部２０６を介して接続される装置からのアクセスレベルを制御するカメラ制御部２０７と、を備える。【選択図】  図２
2007081888.tif 000002
【特許請求の範囲】
【請求項１】
クレードル装置を接続する外部インターフェース制御部と、
前記外部インターフェース制御部に接続されたクレードル装置を介して識別子を取得する取得部と、
前記取得部で取得した識別子とメモリに記憶された識別子とを比較する比較部と、
前記比較部の比較結果に基づいて前記外部インターフェース制御部を介して接続される装置からのアクセスレベルを制御するカメラ制御部と、
を備えることを特徴とするカメラ。
【請求項２】
前記カメラ制御部は、前記識別子と前記アクセスレベルの設定値とを関連付けて前記メモリに記憶させることを特徴とする請求項１に記載のカメラ。
【請求項３】
前記アクセスレベルは、前記メモリに保存された画像にアクセス可能であるレベルを含むことを含むことを特徴とする請求項２に記載のカメラ。
【請求項４】
前記アクセスレベルは、前記カメラで撮影されるリアルタイムの静止画及び動画の少なくとも一方にアクセス可能であるレベルを含むことを特徴とする請求項２に記載のカメラ。
【請求項５】
クレードル装置の識別子を前記メモリに登録する登録部と、
前記メモリに登録された識別子に対応するアクセスレベルを設定する設定部と、
を備えることを特徴とする請求項１乃至請求項４のいずれか１項に記載のカメラ。
【請求項６】
前記設定部で設定したアクセスレベルを変更する変更部を備えることを特徴とする請求項５に記載のカメラ。
【請求項７】
前記メモリに登録した識別子及びこれに対応するアクセスレベルを該メモリから削除する削除部を備えることを特徴とする請求項５又は請求項６に記載のカメラ。
【請求項８】
前記アクセスレベルは、前記メモリに登録されていないクレードル装置に対するアクセスレベルを含むことを特徴とする請求項１乃至請求項７のいずれか１項に記載のカメラ。
【請求項９】
前記カメラ制御部は、ユーザ名と、パスワードと、アクセスレベルの設定値とを関連付けてメモリに記憶させ、
前記取得部は、前記外部インターフェース制御部を介してユーザ名及びパスワードを取得し、
前記比較部は、前記取得部で取得したユーザ名及びパスワードを前記メモリに記憶されたユーザ名及びパスワードと比較し、
前記設定部は、前記比較部の比較結果に基づいて前記外部インターフェース制御部に接続される装置からのアクセスレベルを前記設定値に設定し、
前記変更部は、前記設定部で設定した設定値に基づいて前記外部インターフェース制御部に接続される装置からのアクセスレベルを変更することを特徴とする請求項１に記載のカメラ。
【請求項１０】
ユーザ名とパスワードとを登録する登録部を備え、
前記設定部は、前記登録部で登録したユーザ名に対応するアクセスレベルを設定することを特徴とする請求項１に記載のカメラ。
【請求項１１】
前記設定部で設定したユーザ名に対応するアクセスレベルを変更する変更部を備えることを特徴とする請求項１０に記載のカメラ。
【請求項１２】
前記登録部で登録したユーザ名と、該ユーザ名に関連付けて前記メモリに記憶されたパスワード及びアクセスレベルの設定値とを該メモリから削除する削除部を備えることを特徴とする請求項１０又は請求項１１に記載のカメラ。
【請求項１３】
前記ユーザ名に対応するアクセスレベルは、前記クレードル装置が前記接続部から取り外されたときに無効となることを特徴とする請求項１０乃至請求項１２のいずれか１項に記載のカメラ。
【請求項１４】
請求項１乃至請求項１３のいずれか１項に記載のカメラと、
前記外部インターフェース制御部に接続されるクレードル装置と、
を備えることを特徴とするカメラクレードルシステム。
【請求項１５】
クレードル装置をカメラの外部インターフェース制御部に接続する接続工程と、
前記外部インターフェース制御部に接続されたクレードル装置を介して識別子を取得する取得工程と、
前記取得工程で取得した識別子と前記カメラのメモリに記憶された識別子とを比較する比較工程と、
前記比較工程での比較結果に基づいて前記外部インターフェース制御部を介して接続される装置からのアクセスレベルを制御する制御工程と、
を含むことを特徴とするカメラの制御方法。
【発明の詳細な説明】
【技術分野】
【０００１】
本発明は、カメラ及びその制御方法並びにカメラシステム、特に、デジタルカメラに接続される装置からアクセスレベルの制御に関する。
【背景技術】
【０００２】
デジタルカメラの普及に伴い、デジタルカメラはこれまでにない多様な利用方法が検討されている。たとえば、デジタルカメラ用の雲台にパンチルト機能をつけたもの（特許文献１を参照）がある。
【０００３】
上述のように、撮影データをより簡単にネットワーク機能を使って外部へ送信、転送したり、撮影データの保存をしたりすることが簡単・便利になってきている。
【特許文献１】特開２００２−１９９２５１号公報
【発明の開示】
【発明が解決しようとする課題】
【０００４】
本出願人は、クレードル装置の基本機能である充電機能のほかに、データ保存機能を持つ装置を開発している。この場合、クレードル装置の通信機能を使って、撮影データを盗まれたり、プライベートデータが閲覧可能な状態になったりしてしまう恐れがある。また、撮影データへのアクセス制限をするにしても、デジタルカメラ内部の撮影データへ個別に設定するため、設定方法が複雑であり、設定することを忘れてしまう場合もあり得る。
【０００５】
本発明は、上記の問題点に鑑みてなされたものであり、カメラに接続される装置からのアクセスレベルを容易に制御することを目的とする。
【課題を解決するための手段】
【０００６】
本発明の第１の側面は、カメラに係り、クレードル装置を接続する外部インターフェース制御部と、前記外部インターフェース制御部に接続されたクレードル装置を介して識別子を取得する取得部と、前記取得部で取得した識別子とメモリに記憶された識別子とを比較する比較部と、前記比較部の比較結果に基づいて前記外部インターフェース制御部を介して接続される装置からのアクセスレベルを制御するカメラ制御部と、を備えることを特徴とする。
【０００７】
本発明の第２の側面は、カメラクレードルシステムに係り、上記のカメラと、前記外部インターフェース制御部に接続されるクレードル装置と、を備えることを特徴とする。
【０００８】
本発明の第３の側面は、カメラの制御方法に係り、クレードル装置をカメラの外部インターフェース制御部に接続する接続工程と、前記外部インターフェース制御部に接続されたクレードル装置を介して識別子を取得する取得工程と、前記取得工程で取得した識別子と前記カメラのメモリに記憶された識別子とを比較する比較工程と、前記比較工程での比較結果に基づいて前記外部インターフェース制御部を介して接続される装置からのアクセスレベルを制御する制御工程と、を含むことを特徴とする。
【発明の効果】
【０００９】
本発明によれば、カメラに接続される装置からのアクセスレベルを容易に制御することができる。
【発明を実施するための最良の形態】
【００１０】
本発明の好適な実施の形態は、デジタルカメラと、デジタルカメラ用のクレードル装置から構成される画像装置について述べるものである。
【００１１】
図１は本発明の好適な実施の形態に係るシステム構成を示す図である。１０１はデジタルカメラ、１０２はクレードル装置である。画像装置１００は、クレードル装置１０２にデジタルカメラ１０１が装着されて構成される。デジタルカメラ１０１はズームや、焦点、露出などのカメラ制御を外部から制御しつつ、静止画および動画の撮影が可能である。クレードル装置１０２は、デジタルカメラ１０１の装着および取り外しが容易な構造を有する。また、クレードル装置１０２は、装着したデジタルカメラ１０１のパン角度およびチルト角度をモータなどの機構により制御することが可能である。さらにデジタルカメラ１０１を装着したとき、電気的にクレードル装置１０２と接続されるようになっているものとする。クレードル装置１０２は、複数の操作端末１０４、１０５からの操作指示などに応じて、ＬＡＮやインターネットなどのネットワーク１０３を通じて、デジタルカメラ１０１のファインダ映像を見たり、デジタルカメラ１０１や雲台を制御したりすることができる。さらに、デジタルカメラ１０１の画像を蓄積することができる比較的大容量の記憶部も有している。また、人感センサーなどの外部センサーによって、デジタルカメラ１０１の電源などを制御することができる。
【００１２】
図２は本発明の好適な実施の形態に係る機能ブロック図である。２００はデジタルカメラ、２２０はクレードル装置である。図１の１０１は図２の２００に対応し、図１の１０２は図２の２２０に対応する。デジタルカメラ２００は、画像撮影部２０１、画像圧縮部２０２、画像記憶部２０３、ファインダ表示部２０４、操作スイッチ部２０５、外部インターフェース制御部（外部ＩＦ制御部）２０６、カメラ制御部２０７、ストロボ制御部２０８を備える。さらに、デジタルカメラ２００は、取得部２１０、比較部２１１、登録部２１２、設定部２１３、変更部２１４及び削除部を備える。デジタルカメラ２００は、デジタルカメラとしての基本機能を備える。画像撮影部２０１は、レンズ、撮像デバイス、映像信号処理回路などを含む。画像圧縮部２０２は、撮像部２０１から得られたデジタル画像データを静止画であればJPEGなどで、動画であればMotionJPEGやＭＰＥＧ４などで圧縮する。圧縮した画像データは２０３の画像記憶部にファイルとして記録される。ファインダ表示部２０４は、画像撮像部２０１の画像や撮影した画像、その他の操作ＧＵＩを表示し、そのためのレリーズや画質などの設定変更などは操作スイッチ２０５を用いて行うことができる。また、光学ファインダの代わりに映像を見ながら画角が設定できるようになっている。外部インターフェース制御部２０６は、デジタルカメラ２００と外部との間で制御信号あるいは電源のやり取りをする部分であり、ＵＳＢ（Universal Serial Bus）ならびにカメラの駆動ならびに充電用の電源インターフェースを含む。外部インターフェース制御部２０６は、クレードル装置２２０からの制御コマンドを受け取ったり、画像をクレードル装置２２０に送信したりする。カメラ制御部は、デジタルカメラ２００内部の各構成要素を制御する。設定記憶部２０９は、操作スイッチ部２０５あるいはクレードル装置２２０からのコマンドによって設定された設定値を記憶する。また、設定記憶部２０９は、後述のクレードル装置に含まれるクレードル装置の固体を識別するための識別子と、この識別子と関連させたアクセスレベルを記憶する。取得部２１０は、外部インターフェース制御部２０６に接続されたクレードル装置２２０を介してクレードル装置２２０の識別子を取得する。また、取得部２１０は、外部インターフェース制御部２０６に接続されたクレードル装置２２０を介して接続された、外部の装置から入力された識別子（ユーザ名等）を取得することもできる。比較部２１１は、取得部２１０で取得した識別子と設定値記憶部２０９やデジタルカメラ２００に取外し可能なメモリ等のメモリに記憶された識別子とを比較する。登録部２１２は、クレードル装置２２０の識別子を上記のメモリに登録する。設定部２１３は、上記のメモリに登録された識別子に対応するアクセスレベルを設定する。変更部２１４は、設定部２１３で設定されたアクセスレベルを変更する。削除部２１５は、上記のメモリに登録した識別子及びこれに対応するアクセスレベルをこのメモリから削除する。
【００１３】
クレードル装置２２０は、パンチルト駆動部２２２、雲台制御部２２１、クレードル制御部２２３、外部インターフェース制御部２２４、ネットワーク制御部２２５、画像記憶部２２６、センサー入力部２２７、データ記憶部２２８を備える。パンチルト駆動部２２２はデジタルカメラ２００のパンチルト駆動を行う。雲台制御部２２１はパンチルト駆動部２２２の制御を行う。クレードル制御部２２３はクレードル装置２２０の全体の制御を行う。外部インターフェース制御部（外部ＩＦ制御部）２２４はデジタルカメラ２００への電源供給ならびに、ＵＳＢによってデジタルカメラ２００を制御するためのインターフェース制御部である。外部インターフェース制御部２２４は、デジタルカメラ２００に制御コマンドを送ったり、デジタルカメラ２００からの画像データなどの応答を外部に取り出したりする。なお、デジタルカメラ２００がクレードル装置２２０に装着されたとき、デジタルカメラ２００の外部インターフェース部２０６と、クレードル装置２２０の外部インターフェース部２２４が電気的に接続されるように、クレードル装置の雲台は接続機構を有する。デジタルカメラ２００がクレードル装置２２０に装着されているか否かは、外部インターフェース制御部２２４において電源あるいはＵＳＢの電気的特性から判断できるようになっているものとする。外部との制御信号のやり取りの方法は、必ずしもＵＳＢに限定するものではなく、ＩＥＥＥ１３９４等でもよい。さらに、ＵＳＢは有線接続に限定するものではなく、ワイヤレスＵＳＢなど、無線接続の形態をとる場合もありうる。無線接続の形態では、デジタルカメラ２００とクレードル装置２２０は、物理的に接続していなくとも、デジタルカメラ２００とクレードル装置２２０を近づけ、ＵＳＢなどでプロトコル的に接続していればよい。ネットワーク制御部２２５は、操作端末１０４、１０５と接続して制御コマンドなどをやり取りするネットワークインターフェースである。ネットワーク制御部２２５は、ネットワーク１０３を経由して操作端末１０４、１０５からの制御コマンドを解釈しデジタルカメラ２００および雲台を制御する。また、ネットワーク制御部２２５は、撮影画像をネットワーク１０３経由で操作端末１０４、１０５などに送る。画像記憶部２２６はデジタルカメラ２００で撮影した画像を記憶可能な程度の容量を有するハードディスクなどの大容量の記憶部である。センサー入力部２２７は、人感センサーからの信号をトリガとして取り出す部分である。データ記憶部２２６は、デジタルカメラ２００に設定すべきデータなどを一時的に記憶する。また、データ記憶部２２６には、クレードル装置２２０の固体識別のための識別子を記憶している。以下固体識別のための一例として、クレードル装置２２０のシリアル番号を、識別子として使う方法を説明する。
【００１４】
クレードル装置２２０及び操作端末１０４、１０５のそれぞれネットワーク１０３に接続される装置の数は本発明の好適な実施の形態のように限定されるものではない。アドレスなどで識別できれば多数存在してもかまわない。ネットワーク１０３に関しても、カメラ制御信号、圧縮した映像信号を通すのに十分な帯域があるインターネットやイントラネットなどのデジタルネットワークであればよい。また、操作端末１０４、１０５はたとえばＰＣ、携帯電話やPDAのようなものや、ネットワーク対応テレビのようなものが好適である。したがって、ネットワーク１０３への物理的な接続形態として有線だけでなく無線の場合もありうるが、プロトコル的に接続されていれば、物理的な形態にこだわるものではない。
【００１５】
次に、画像装置１００のアクセスレベルについて説明する。アクセスレベルとしては、１．リアルタイム画像送信、２．リアルタイム静止画送信、３．カメラ操作、４、撮影データ送信、５．パンチルト動作、の項目が含まれる。これらの項目についてアクセス許可・不許可を設定することにより、画像装置１００のアクセスレベルが決定される。
１．リアルタイム画像送信
画像装置１００は、デジタルカメラ１０１（２００）のリアルタイム画像を、ネットワーク１０３を経由して、操作端末１０４、１０５へ送信することができる。たとえば、操作端末１０５は、画像装置１００からリアルタイムな画像を受信することにより、簡易的なモニタリングをすることができる。この項目は、画像装置１００がリアルタイム画像をネットワーク１０３に送信することを許可するかどうかを決定する項目である。
２．リアルタイム静止画送信
画像装置１００は、デジタルカメラ１０１がキャプチャする高画質の静止画を、ネットワーク１０３を経由して、操作端末１０４、１０５へ送信することができる。リアルタイム画像送信の項目と同様に、画像装置１００をモニタリングカメラとして使う場合、リアルタイムの画像とともに、静止画を取得することができる。この項目は、画像装置１００がリアルタイムの静止画をネットワーク１０３に送信することを許可するかどうかを決定する項目である。
３．カメラ操作
画像装置１００のデジタルカメラ１０１のズームや明るさを、ネットワーク１０３を経由して操作端末１０４、１０５から制御することが可能である。画像装置１００をモニタリングカメラとして使う場合、デジタルカメラ１０１の操作を行うことにより、目的の画像をより鮮明に取得することができる。この項目は、画像装置１００がリモートでカメラ操作を行わせることを許可するかどうかを決定する項目である。
４．撮影データ送信
画像装置１００のデジタルカメラ１０１内部には、既に撮影された撮影データが画像記憶部２０３に保存されている。操作端末１０４、１０５は、画像装置１００から撮影データを取得し、テレビモニタなどへ表示させることにより、簡単にデジタルカメラ１０１で撮影した画像を見ることができる。また、撮影データをＰＣに保存し、デジタルカメラ１０１内部の撮影データを消去することにより、データの整理を簡単にすることができる。しかしその一方、撮影データはプライベートデータであり、ネットワーク１０３からのアクセスを拒否したい場合がある。この項目は、画像装置１００がデジタルカメラ１０１内部に保存された撮影データにアクセス許可するかどうかを決定する項目である。
５．パンチルト動作
画像装置１００のクレードル装置１０２（２２０）には、パンチルト駆動部２２２と、雲台制御部２２１が含まれる。画像装置１００をモニタリングカメラとして使う場合、操作端末１０４、１０５よりパンチルト動作を制御することにより、目的の画像をより広い範囲で取得することができる。画像装置１００は、デジタルカメラ１０１とクレードル装置１０２により構成されている。組み合わせによってデジタルカメラ１０１がクレードル装置１０２より大きく、安定してパンチルト動作させることが不適切である場合、リモートでパンチルト動作をさせることを禁止することができる。この項目は、画像装置１００がリモートでパンチルト動作を許可するかどうかを決定する項目である。
【００１６】
以上が、アクセスレベルを決定する項目である。画像装置１００は、デジタルカメラ１０１とクレードル装置１０２により構成されるため、これらの組み合わせにより、アクセスレベルが設定されることが望ましい。本発明の好適な実施の形態では、デジタルカメラ１０１とクレードル装置１０２の組み合わせにより、アクセスレベルを設定する。このため、クレードル装置１０２に固体を識別するシリアル番号等を有し、デジタルカメラ１０１側でクレードル装置１０２のシリアル番号に対応するアクセスレベルを設定、保存する。このようにして、画像装置１００のアクセスレベルを保持している。クレードル装置１０２のシリアル番号は、図２のデータ記憶部２２８に保存されている。デジタルカメラ１０１は、内部にクレードル装置１０２のシリアル番号（以下、クレードルＩＤと説明する）とアクセスレベルを、図２の設定値記憶部２０９に保存している。
【００１７】
【表１】
2007081888.tif 000003
【００１８】
表１は、デジタルカメラ１０１内部に保存されている、クレードルＩＤとアクセスレベルを対応付けした表である。クレードルＩＤは、ユーザへ分かりやすいように名前付けられており、表１では、自宅クレードル、会社クレードル、田中さんの家、などとなっている。アクセスレベルは、先に説明したアクセス項目の許可、不許可の情報が、クレードル装置に対応して保存されている。
【００１９】
このように、デジタルカメラ１０１でクレードルＩＤとアクセスレベルを対応付けて保存することによって、以下のような設定が可能となる。すなわち、自宅にあるクレードル装置１０２では、撮影データにアクセスできるように設定し会社など自宅以外の場所では、撮影データへのアクセスを拒否するアクセスレベルに設定することができる。これにより、通信機能をもったクレードル装置１０２であっても、デジタルカメラ１０１内部に保存されている撮影データがネットワーク１０３からアクセスされる心配がない。そのため、田中さんの家でデジタルカメラ１０１の充電をしたり、会社でモニタリングカメラとして画像装置１００としてデジタルカメラ１０１を使ったりすることができる。
【００２０】
次に、デジタルカメラ１０１にクレードルＩＤとアクセスレベルを登録する方法、編集、ＩＤ削除方法について、説明する。
【００２１】
はじめに、デジタルカメラ１０１へのクレードルＩＤ（クレードル装置のシリアル番号）登録と、アクセスレベル設定方法について、図３Ａ、図３Ｂ及び図４を用いて説明する。
【００２２】
図３Ａ（ａ）はデジタルカメラ１０１の裏側、レンズ面と逆面のカメラ操作パネルのある面を図示したものである。３０１は表示部としての表示パネルであり、LCDなどで構成される。３０２、３０３、３０４は操作スイッチである。３０２はＭＥＮＵ、３０３はＳＥＴなどの名称が付けられ、３０４は上下、左右などの方向キーである。それぞれのスイッチは操作状況に対応した機能が割り当てられている。表示パネルとスイッチ類を用いて、通常のカメラ設定操作に加えてクレードル装置の登録や、アクセスレベルが設定できるような操作ＧＵＩを構成することができる。図３Ａ（ａ）は、その一例を図示している。デジタルカメラ１０１の電源がＯＮの状態で、ユーザがＭＥＮＵボタン３０２を押すと、デジタルカメラ１０１の状態に対応したメニュー項目が表示される（不図示）。表示されるメニュー階層の一例を図３Ａ（ｂ）の３１０に示す。メニュー階層には、トップメニューに、画質や圧縮パラメータの設定や、一般的な設定メニューが配置されている。一般設定メニューの中には、画像装置設定メニューの項目があり、この中に、クレードルＩＤ登録、アクセスレベル設定変更、クレードルＩＤ削除のメニューが含まれる。それぞれのメニューに対応した表示画面の一例は、図３Ｂ（ａ）の３２０、図３Ｂ（ｂ）の３３０、図３Ｂ（ｃ）の３４０、図３Ｂ（ｄ）の３５０、図３Ｂ（ｅ）の３６０にそれぞれ示されている。
【００２３】
図４は、クレードルＩＤをデジタルカメラ１０１に登録する場合のフローを示している。
【００２４】
ステップＳ４０１では、ユーザがデジタルカメラ１０１のＭＥＮＵボタン３０２を押すと、カメラ制御部２０７は、デジタルカメラ１０１の表示部３０１にカメラメニュー（メニュー階層３１０）を表示させる。
【００２５】
ステップＳ４０２では、ユーザは、方向キー３０４を使って、表示されたメニュー項目から「一般設定メニュー」を選択し、ＳＥＴボタン３０３を押す。すると、カメラ制御部２０７は、メニュー階層を進ませ、「一般設定メニュー」内の項目を表示部３０１に表示させる。
【００２６】
ステップＳ４０３では、ユーザは、方向キー３０４とＳＥＴボタン３０３を同じように使い、一般設定メニューの中の「画像装置設定メニュー」を選択する。すると、カメラ制御部２０７は、表示部３０１に図３Ｂ（ａ）の画像装置設定メニュー３２０内の項目を表示させる。
【００２７】
ステップＳ４０４では、ユーザは、クレードルＩＤをデジタルカメラ１０１に登録するために、図３Ｂ（ａ）の画像装置設定メニュー３２０の‘クレードルＩＤ登録’３２１を選択する。
【００２８】
ステップＳ４０５では、クレードルＩＤ登録が選択されると、デジタルカメラ１０１は、クレードルＩＤ登録モードになる。カメラ制御部２０７は、表示部３０１に図３Ｂ（ｂ）の３３０のように、クレードルＩＤ登録準備ができたことをユーザに知らせるメッセージを表示させる。
【００２９】
ステップＳ４０６では、ユーザは、登録したいクレードル装置１０２にデジタルカメラ１０１を装着する。
【００３０】
ステップＳ４０７では、デジタルカメラ１０１とクレードル装置１０２が接続されると、通信のセットアップが自動で行われ、相互に通信可能状態となる。相互に通信可能状態になった後、取得部２１０は、クレードル装置１０２から、クレードル装置の固体を識別するためのシリアル番号を取得する。
【００３１】
ステップＳ４０８では、カメラ制御部２０７は、取得したシリアル番号、すなわちクレードルＩＤに対応するアクセス制御を設定するためのメニューを表示部３０１に表示させる。図３Ｂ（ｃ）の３４０は、アクセス制御を設定するためのメニューである。３４１は、先に取得したクレードルＩＤが表示されている。アクセスレベル設定メニューでは、先に説明したアクセスレベル項目であるリアルタイム画像送信３４２、リアルタイム静止画送信３４２、カメラ操作３４３、撮影データ送信３４４及びパンチルト動作３４６が示されている。これらの項目には、それぞれチェックボックス３４７があり、チェックボックスをチェックすることにより、対応する項目のアクセスを許可する。
【００３２】
ステップＳ４０９では、ユーザによる方向キー３０４とＳＥＴボタン３０３の操作に基づいて、設定部２１３は、登録するクレードル装置１０２のアクセスレベルを設定する。
【００３３】
ステップＳ４１０では、登録部２１２は、アクセスレベルの設定後、クレードルＩＤに対応した識別子（名前等）の登録を行う。名前の登録には、先に取得したクレードルＩＤそのままの値を使ってもよい。
【００３４】
ステップＳ４１１では、登録部２１２は、名前の登録まで終了すると、アクセスレベルの確認を行い、設定を登録する。以上の操作と、画像装置１００の動作により、クレードルＩＤがデジタルカメラ１０１に登録される。
【００３５】
次に、デジタルカメラ１０１に登録されたアクセスレベルを変更する方法について、図３Ａ、図３Ｂ及び図５を用いて説明する。
【００３６】
以下、説明するデジタルカメラ１０１における操作は、デジタルカメラ１０１がクレードル装置１０２に装着されていても、装着されていなくてもいずれでもよいい。図５は、アクセスレベルを変更するフローチャートを示している。
【００３７】
ステップＳ５０１では、ユーザがデジタルカメラ１０１のＭＥＮＵボタン３０２を押すと、カメラ制御部２０７は、デジタルカメラ１０１の表示部３０１にカメラメニュー（メニュー階層３１０）を表示させる。
【００３８】
ステップＳ５０２では、ユーザは、方向キー３０４を使い、表示されたメニュー項目から、「一般設定メニュー」を選択し、ＳＥＴボタン３０３を押す。すると、カメラ制御部２０７は、メニュー階層を進ませ、「一般設定メニュー」内の項目を表示部３０１に表示させる。
【００３９】
ステップＳ５０３では、ユーザは、方向キー３０４とＳＥＴボタン３０３を同様に使い、一般設定メニューの中の「画像装置設定メニュー」を選択する。すると、カメラ制御部２０７は、表示部３０１に図３Ｂ（ａ）の画像装置設定メニュー３２０内の項目を表示させる。
【００４０】
ステップＳ５０４では、ユーザは、既に登録されているアクセスレベルを変更するために、図３Ｂ（ａ）の画像装置設定メニュー３２０の‘アクセスレベル設定変更’３２２を選択する。
【００４１】
ステップＳ５０５では、アクセスレベル設定変更が選択されると、デジタルカメラ１０１は、アクセスレベル設定変更モードとなる。カメラ制御部２０７は、デジタルカメラ１０１の表示部３０１に、図３Ｂ（ｄ）のアクセスレベル設定変更メニュー３５０を表示させる。表示されているメニューには、既に登録されているクレードル装置１０２のリストとともに、「その他のクレードル」という項目が表示されている。「その他のクレードル」という項目は、登録されたクレードル装置１０２以外のクレードル装置との組み合わせによる画像装置１００としてのアクセスレベルを設定するものである。
【００４２】
ステップＳ５０７では、ユーザは、方向キー３０４を使い、表示されたリストの中から、変更したいアクセスレベルに対応したクレードル装置を選択する。
【００４３】
ステップＳ５０８では、クレードル装置が選択されると、カメラ制御部２０７は、表示部３０１に図３Ｂ（ｃ）のアクセスレベル設定メニュー３４０を表示させる。アクセスレベル設定メニュー３４０は、先に説明したクレードルＩＤ登録においてアクセスレベルを設定するメニューと同様である。
【００４４】
ステップＳ５０９では、ユーザは、方向キー３０４を使い、クレードルＩＤ登録の場合と同様に、アクセスを許可する項目のチェックをオン・オフして、希望のアクセスレベルとなるように設定変更を行う。
【００４５】
ステップＳ５１０では、設定が終了すると、変更部２１４は、編集した設定を登録し、アクセスレベル設定変更が終了する。
【００４６】
次にデジタルカメラ１０１に登録されたクレードルＩＤを削除する方法について、図３と図６を用いて説明する。
【００４７】
以下説明するデジタルカメラ１０１における操作は、デジタルカメラ１０１がクレードル装置１０２に装着されていても、されていなくてもいずれでもよい。図６は、デジタルカメラ１０１に登録されたクレードルＩＤを削除するフローを示している。
【００４８】
ステップＳ６０１では、ユーザは、デジタルカメラ１０１のＭＥＮＵボタン３０２を押すと、カメラ制御部２０７は、デジタルカメラ１０１の表示部３０１にカメラメニュー（メニュー階層３１０）を表示させる。
【００４９】
ステップＳ６０２では、ユーザは、方向キー３０４を使い、表示されたメニュー項目から、「一般設定メニュー」を選択し、ＳＥＴボタン３０３を押下する。すると、カメラ制御部２０７は、メニュー階層を進ませ、図３Ａの「一般設定メニュー」内の項目を表示部３０１に表示させる。
【００５０】
ステップＳ６０３では、ユーザは、方向キー３０４とＳＥＴボタン３０３を同様に使い、一般設定メニューの中の「画像装置設定メニュー」を選択する。すると、カメラ制御部２０７は、表示部３０１に図３Ｂ（ａ）の画像装置設定メニュー３２０内の項目を表示させる。
【００５１】
ステップＳ６０４では、ユーザは、登録されたクレードルＩＤを消去するために、図３Ｂ（ａ）の画像装置設定メニュー３２０の‘クレードルＩＤ削除’３２３を選択する。
【００５２】
ステップＳ６０５では、クレードルＩＤ削除が選択されると、デジタルカメラ１０１は、クレードルＩＤ削除モードとなる。カメラ制御部２０７は、デジタルカメラ１０１の表示部３０１に図３Ｂ（ｅ）のクレードルＩＤ削除メニュー３６０を表示させる。
【００５３】
ステップＳ６０６では、カメラ制御部２０７は、表示部３０１に表示されているメニューの中に、既に登録されているクレードル装置のリストを表示させる。
【００５４】
ステップＳ６０７では、ユーザは、方向キー３０４を使い、表示されたリストの中から削除したいクレードルＩＤを選択する。
【００５５】
ステップＳ６０８では、クレードルＩＤを選択すると、カメラ制御部２０７は、再度確認のため、削除対象となるクレードルＩＤをユーザに確認させる。
【００５６】
ステップＳ６０９では、ユーザは、ＳＥＴボタン３０３により、削除対象を再確認すると、削除部２１５は、対象クレードル装置の情報を削除する。以上の動作により、デジタルカメラ１０１に登録されたクレードルＩＤが削除される。
【００５７】
次に、画像装置１００がデジタルカメラ１０１とクレードル装置によって構成されるときのアクセスレベル設定までの動作を、図７、図８、図９を使って説明する。図７は、デジタルカメラ１０１から見た動作フローであり、図８はクレードル装置から見た動作フローであり、図９は、画像装置１００としての動作フローを示している。
【００５８】
はじめに、デジタルカメラ１０１の動作フローを、図７を使って説明する。
【００５９】
ステップＳ７０１では、デジタルカメラ１０１を起動する。
【００６０】
ステップＳ７０２では、デジタルカメラ１０１をクレードル装置に装着する。
【００６１】
ステップＳ７０３では、デジタルカメラ１０１をクレードル装置に装着すると、電気的にクレードル装置と接続され、ＵＳＢ接続のセットアップが開始される。
【００６２】
ステップＳ７０４では、ＵＳＢ接続のセットアップが終了すると、デジタルカメラ１０１はクレードル装置と通信可能となる。デジタルカメラ１０１の取得部２１０は、クレードル装置の固体を識別するためのシリアル番号（クレードルＩＤ）を、クレードル装置より取得する。
【００６３】
ステップＳ７０５では、デジタルカメラ１０１の比較部２１１は、クレードル装置より取得したクレードルＩＤが、デジタルカメラ１０１内部の設定値記憶部２０９に保存されている番号と一致するものがあるかを検索する。
【００６４】
ステップＳ７０６では、デジタルカメラ１０１の比較部２１１は、Ｓ７０３で検索により取得したクレードルＩＤが、デジタルカメラ１０１に登録されているか否かを判断する。デジタルカメラ１０１に登録されていると判断された場合（ステップＳ７０６で「ＹＥＳ」）、ステップＳ７０７において、クレードルＩＤに対応したアクセスレベルに、デジタルカメラ１０１は設定される。一方、Ｓ７０６において、デジタルカメラ１０１に登録されていないと判断された場合（ステップＳ７０６で「ＮＯ」）、ステップＳ７０８において、登録されたＩＤがない場合のアクセスレベルにデジタルカメラ１０１が設定される。登録されたＩＤがない場合のアクセスレベルは、図３Ｂ（ｄ）の「その他のクレードル」として設定されているアクセスレベルである。
【００６５】
ステップＳ７０９では、デジタルカメラ１０１の設定部２１３は、アクセスレベルを自身に設定するとともに、クレードル装置へ該アクセスレベルを通知する。以降、デジタルカメラ１０１は、設定したアクセスレベルで、画像装置１００として動作を開始する。次に、クレードル装置の動作フローを、図８を使って説明する。
【００６６】
ステップＳ８０１では、クレードル装置を起動する。
【００６７】
ステップＳ８０２では、デジタルカメラ１０１が装着される。
【００６８】
ステップＳ８０３では、クレードル装置にデジタルカメラ１０１が装着されると、電気的にクレードル装置と接続され、ＵＳＢ接続のセットアップが開始される。
【００６９】
ステップＳ８０４では、ＵＳＢ接続のセットアップが終了すると、クレードル装置とデジタルカメラ１０１は通信可能となる。クレードル装置は、内部のデータ記憶部２２８に保存されている固体を識別するためのクレードルＩＤ（シリアル番号）を読み出し、デジタルカメラ１０１へ該クレードルＩＤを送信する。
【００７０】
ステップＳ８０５では、デジタルカメラ１０１内部では、前述の動作が行われ、クレードル装置は、クレードルＩＤに対応したアクセスレベルを受信する。クレードル装置は受信したアクセスレベルで、画像装置１００としての動作を開始する。
【００７１】
次に、画像装置１００の動作フローを、図９を使って説明する。
【００７２】
ステップＳ９０１では、画像装置１００の電源が投入される。
【００７３】
ステップＳ９０２では、図７、図８のように、デジタルカメラ１０１とクレードル装置との間で、アクセスレベルが決定される。ここでは、表１に示す会社クレードルに対応したアクセスレベルが設定されたとして説明する。
【００７４】
ステップＳ９０３では、画像装置１００は、決定されたアクセスレベルを設定する。
【００７５】
ステップＳ９０４では、イベントやネットワークからのコマンド待ち状態となる。
【００７６】
ステップＳ９０５では、ネットワークからリアルタイム画像要求があるか否かを判断する。リアルタイム画像要求があった場合（ステップＳ９０５で「ＹＥＳ」）、ステップＳ９０６において、画像装置１００は、リアルタイム画像の送信処理を行う。
【００７７】
ステップＳ９０７では、静止画要求があるか否かを判断する。静止画要求があった場合（ステップＳ９０７で「ＹＥＳ」）、ステップＳ９０８において、画像装置１００は静止画キャプチャと送信処理を行う。    
ステップＳ９０９では、ズームなどのカメラ操作要求があるか否かを判断する。カメラ操作要求があった場合（ステップＳ９０９で「ＹＥＳ」）、ステップＳ９１０においてカメラ操作処理を行う。
【００７８】
ステップＳ９１１では、ネットワークからデジタルカメラ１０１内部に保存されている撮影データの送信など、撮影データへアクセスする要求があったか否かを判断する。アクセス要求があった場合（ステップＳ９１１で「ＹＥＳ」）、ステップＳ９１２において、画像装置１００は、アクセス要求を拒否する。
【００７９】
ステップＳ９１３では、パンチルト要求があるか否かを判断する。パンチルト要求があった場合（ステップＳ９１３で「ＹＥＳ」）、ステップＳ９１４において、画像装置１００は、パンチルト動作処理を行う。
【００８０】
ステップＳ９１５では、その他処理が必要な場合にはそれぞれの処理を行う。
【００８１】
以上のように画像装置１００は、デジタルカメラ１０１とクレードル装置との組み合わせにより、アクセスレベルを決定し動作する。
【００８２】
次に、デジタルカメラ１０１へのアクセスレベル設定に関し、クレードルＩＤだけでなく、さらにユーザＩＤを使う方法に関して以下説明する。ユーザＩＤを使うことにより画像装置１００は、デジタルカメラ１０１に登録していないクレードル装置との組み合わせであっても、ユーザＩＤを使ってアクセスレベルを変更し、操作することができるようになる。これにより、ある時だけクレードル装置をデジタルカメラ１０１へ登録することなく、容易に画像装置１００を操作することができる。
【００８３】
図１０Ａは、ユーザＩＤとパスワードを使用する場合のメニュー階層を示す図である。図１０Ｂは、個別のメニューに対応した表示画面を示す図である。図１０Ａにおいて、１０００は、デジタルカメラ１０１のメニュー階層である。この中に、ユーザＩＤに関連したメニュー項目、「画像装置設定  ユーザＩＤ」「ユーザＩＤ登録」「アクセスレベル設定変更」「ユーザＩＤ削除」メニューがある。それぞれのメニューを選択した場合の表示画面例を、図１０Ｂ（ａ）の１０１０、図１０Ｂ（ｂ）の１０２０、図１０Ｂ（ｃ）の１０３０、図１０Ｂ（ｄ）の１０４０、図１０Ｂ（ｅ）の１０５０に示す。図１０Ｂ（ａ）の１０１０は、ユーザＩＤを使った画像装置設定メニューである。メニューの選択操作は、先に説明した場合と同様に、デジタルカメラ１０１の方向キーやＳＥＴボタン３０３を使って行われる。図１０Ｂ（ｂ）の１０２０は、ユーザＩＤ登録画面である。デジタルカメラ１０１にユーザＩＤを登録する場合に使われ、ユーザＩＤ（１０２１）、パスワード（１０２２）を設定し、ユーザＩＤ登録ボタン（１０２３）を選択することにより、ユーザＩＤが登録される。ユーザＩＤが登録されると、次にユーザＩＤに対応した画像装置１００のアクセスレベル設定画面（図１０Ｂ（ｃ）の１０３０）に進む。アクセスレベル設定画面では、画像装置１００へのアクセス項目を決定するもので、先に説明したリアルタイム画像送信、リアルタイム静止画送信、カメラ操作、撮影データ送信、そしてパンチルト動作を許可するかどうかを、設定する。、図１０Ｂ（ｄ）の１０４０は、ユーザＩＤに対応したアクセスレベルを変更する場合の操作画面である。ユーザＩＤに対応したアクセスレベルを変更するには、はじめに設定変更したいユーザを、選択する。次に、選択されたユーザＩＤに対応したアクセスレベルを表示する、アクセスレベル設定画面（図１０Ｂ（ｃ）の１０３０）が表示され、該表示画面により、アクセスレベルの設定変更を行う。図１０Ｂ（ｅ）の１０５０は、ユーザＩＤを削除する場合の操作画面である。削除したいユーザＩＤを選択し、デジタルカメラ１０１に登録されているユーザＩＤと、ユーザＩＤに対応したアクセスレベルを削除する。
【００８４】
次に、ユーザＩＤを使った画像装置１００の操作と、画像装置１００内部の動作の流れを説明する。図１１は、ユーザがＰＣを使い、ネットワーク経由で、画像装置１００を操作する場合のフローを示している。ここで、デジタルカメラ１０１に設定されているクレードルＩＤ、ユーザＩＤは、図１２（ａ）、（ｂ）に示すようなアクセスレベルが設定されているものとする。
【００８５】
画像装置１００は、電源が投入されると（１１０１）、デジタルカメラ１０１に登録してあるクレードルＩＤに対応したアクセスレベルを読み出し、画像装置１００のアクセスレベルとして設定する（１１０２）。ここでは、図１２（ａ）の１２０１に示すクレードルＩＤのアクセスレベルが設定されたものとする。この場合のアクセスレベルで可能であるのは、リアルタイム画像送信、リアルタイム静止画送信、カメラ操作である。また、デジタルカメラ１０１内部の撮影データ送信と、パンチルト動作は、この場合のデジタルカメラ１０１とクレードル装置の組み合わせからなる画像装置１００では、禁止されている。次にユーザはＰＣから、HTTPにより、デジタルカメラ１０１内部に保存されている撮影データへ、ネットワーク経由でアクセスする（１１０３）。画像装置１００は、現在設定されているアクセスレベルでは、撮影データへのアクセスを禁止しているため、１１０３によるアクセスを拒否し、ユーザＩＤ認証ページをＰＣに送信する（１１０４）。ユーザは、あらかじめデジタルカメラ１０１に登録しておいた自身のユーザＩＤとパスワードを入力（１１０５）し、アクセスレベル変更を試みる。ユーザＩＤとパスワードを受信した画像装置１００は、クレードル装置内部のＣＰＵから、デジタルカメラ１０１へユーザＩＤとパスワードを送信し、登録されたユーザであるかを、確認する（１１０６）。入力されたユーザＩＤとパスワードが一致する場合、デジタルカメラ１０１は、ユーザＩＤに対応したアクセスレベルをクレードルＣＰＵに通知し（１１０７）、画像装置１００のアクセスレベルを変更、再設定する。画像装置１００は、ユーザに対し、ユーザＩＤが認証されたことを、通知する（１１０８）。ここで設定されたユーザＩＤに対応するアクセスレベルは、図１２（ｂ）の１２０２に示されるアクセスレベルとする。図１２（ｂ）の１２０２に示されるように、この場合のアクセスレベルは撮影データ送信が可能なアクセスレベルである。ユーザは、ユーザＩＤが認証されたことを認識すると、再度、デジタルカメラ１０１内部に保存された撮影データへアクセスをする（１１０９）。画像装置１００は、撮影データ送信が可能なアクセスレベルであることから、ユーザがデジタルカメラ１０１内部の撮影データへアクセスすることを許可している。
【００８６】
上記のようにユーザＩＤを使って、撮影データへのアクセスをすることにより、撮影データへのアクセスが許可されない画像装置１００であっても、デジタルカメラ１０１にクレードル装置を登録することなく、撮影データへのアクセスができる。また、デジタルカメラ１０１がクレードル装置から取り外されると、画像装置１００に設定したアクセスレベルは無効となる。そのため、再度デジタルカメラ１０１が上記のクレードル装置に接続された場合には、クレードルＩＤに対応したアクセスレベルが設定されるため、再度ユーザＩＤによる認証をしない限り、撮影データへのアクセスは拒否される。
【００８７】
ここで、クレードルＩＤに対応したアクセスレベルと、ユーザＩＤに対応したアクセスレベルとの関連について説明する。
【００８８】
【表２】
2007081888.tif 000004
【００８９】
表２は、クレードルＩＤとユーザＩＤとの組み合わせと、それぞれの場合の画像装置１００へのアクセスレベルを示した表である。クレードルＩＤは、デジタルカメラ１０１に登録されている場合と、登録されていない場合の２つの状態がある。またユーザＩＤは、デジタルカメラ１０１に登録されている場合と、登録されているがユーザＩＤの承認前という状態と、承認後の状態という２つの状態が存在する。これらの状態の組み合わせにより、画像装置１００へのアクセスレベルが決定される。
【００９０】
まず、クレードルＩＤがデジタルカメラ１０１に登録されている場合で、ユーザＩＤがデジタルカメラ１０１に登録されていない状態では、画像装置１００のアクセスレベルは、クレードルＩＤに対応したアクセスレベルが設定される。また、認証前のクレードルＩＤがデジタルカメラ１０１に登録されており、さらにユーザＩＤの承認をした後では、画像装置１００のアクセスレベルは、ユーザＩＤに対応したアクセスレベルが設定される。また、クレードルＩＤ及びユーザＩＤがデジタルカメラ１０１に登録されていない状態では、画像装置１００のアクセスレベルは、「その他のクレードル」のアクセスレベルが設定される。また、クレードルＩＤがデジタルカメラ１０１に登録されているが認証前の状態では、画像装置１００のアクセスレベルは、「その他のクレードル」のアクセスレベルが設定される。「その他のクレードル」のアクセスレベルは、先に説明した、登録されたクレードル装置以外のクレードル装置とデジタルカメラ１０１との組み合わせによる画像装置１００としてのアクセスレベルである。そして、クレードルＩＤがデジタルカメラ１０１に登録されていない場合で、ユーザＩＤを認証した後の画像装置１００は、ユーザＩＤによるアクセスレベルが設定されている。
【００９１】
以上のように画像装置は、クレードルＩＤとユーザＩＤを組み合わせて使うことで、デジタルカメラに登録していないクレードル装置との組み合わせでも、ユーザＩＤを使ってアクセスすることで、その時だけアクセスレベルを変更できるようになる。そのため、クレードルＩＤに対応したアクセスレベルを頻繁に変更することなく、ユーザの希望するアクセスレベルで画像装置を使うことが容易にできる。
【００９２】
また、本発明の好適な実施の形態では、デジタルカメラに接続される電子装置は、デジタルカメラ専用のクレードル装置として説明をした。しかしながら、電子装置は、複写機やプリンタなどに、上記で説明したクレードル機能を持つデバイスであってもよい。たとえば、クレードル機能を持つプリンタとデジタルカメラの場合、撮影データへのアクセスが許可されているアクセスレベルが設定されていれば、撮影データのプリントが可能となる。その結果、デジタルカメラに登録されていないプリンタ（クレードルＩＤ）の場合は、プリントができないなど、撮影データを保護することも可能となる。
【００９３】
クレードル装置は通信機能を有したものであっても、デジタルカメラでクレードル装置のシリアル番号（クレードルＩＤ）を取得し、クレードルＩＤのマッチングを行う。このため、デジタルカメラ内部の撮影データをネットワーク上に公開することなく、安心してデジタルカメラの充電をしたり、デジタルカメラをモニタリングカメラとして使ったりすることができる。
【００９４】
また、ユーザＩＤを併用することによって、画像装置のアクセスレベルをユーザごとに変更することができる。このため、デジタルカメラに登録されていないクレードル装置との組み合わせによる画像装置であっても、容易にユーザのアクセスレベルに変更することができる。その結果、デジタルカメラにクレードル装置を登録したり、削除したりするなど、頻繁に設定を変更することなく用いることができる。
【図面の簡単な説明】
【００９５】
【図１】本発明の好適な実施の形態に係るシステム構成を示す図である。
【図２】本発明の好適な実施の形態に係る機能ブロック図である。
【図３Ａ】デジタルカメラの操作パネル面とメニューを示す図である。
【図３Ｂ】デジタルカメラのメニューに対応した表示画面の一例を示す図である。
【図４】クレードルＩＤ設定フローを示す図である。
【図５】アクセスレベル設定変更フローを示す図である。
【図６】クレードルＩＤ削除フローを示す図である。
【図７】アクセスレベル設定−デジタルカメラのフローを示す図である。
【図８】アクセスレベル設定−クレードル装置のフローを示す図である。
【図９】アクセスレベル設定−画像装置のフローを示す図である。
【図１０Ａ】デジタルカメラのメニューを示す図である。
【図１０Ｂ】デジタルカメラのメニューに対応した表示画面の一例を示す図である。
【図１１】ユーザＩＤを使った画像装置操作フローを示す図である。
【図１２】クレードルＩＤとユーザＩＤに対応したアクセスレベルを示す図である。
【符号の説明】
【００９６】
２００  デジタルカメラ
２０６  外部ＩＦ制御部
２０９  設定値記憶部
２１０  取得部
２１１  比較部
２２０  クレードル
【図１】
2007081888.tif 000005
【図２】
2007081888.tif 000006
【図３Ａ】
2007081888.tif 000007
【図３Ｂ】
2007081888.tif 000008
【図４】
2007081888.tif 000009
【図５】
2007081888.tif 000010
【図６】
2007081888.tif 000011
【図７】
2007081888.tif 000012
【図８】
2007081888.tif 000013
【図９】
2007081888.tif 000014
【図１０Ａ】
2007081888.tif 000015
【図１０Ｂ】
2007081888.tif 000016
【図１１】
2007081888.tif 000017
【図１２】
2007081888.tif 000018